(57)【要約】【課題】開状態の維持が容易な包装容器を提供すること。【解決手段】包装容器１は、被包装体Ｔを収納するとともに、その上部が開口する収納体５と、収納体５の開口を閉塞する蓋体６と、収納体５及び蓋体６に一体に形成され、蓋体６を収納体５に対して回動可能形成された２つの回転軸２７を有するヒンジ部７と、を備える構成とする。【選択図】図１
2014005027.tif 000002
【特許請求の範囲】
【請求項１】
被包装体を収納するとともに、その上部が開口する収納体と、
前記収納体の開口を閉塞する蓋体と、
前記収納体及び前記蓋体に一体に形成され、前記蓋体を前記収納体に対して回動可能に形成された複数の回転軸を有するヒンジ部と、
を備えることを特徴とする包装容器。
【請求項２】
前記ヒンジ部は、前記収納体及び前記蓋体の一部が切断されることでその両端部が形成されることを特徴とする請求項１に記載の包装容器。
【請求項３】
前記回転軸は、２つ設けられることを特徴とする請求項２に記載の包装容器。
【請求項４】
前記ヒンジ部は、前記収納体及び前記蓋体の内部側の面に、情報が表示される表示部を備えることを特徴とする請求項１に記載の包装容器。
【請求項５】
前記ヒンジ部は、前記回転軸が、前記収納体及び前記蓋体に形成された、曲折される曲折部であることを特徴とする請求項１に記載の包装容器。
【請求項６】
前記曲折部は、前記収納体及び前記蓋体に形成された圧痕により形成されることを特徴とする請求項５に記載の包装容器。
【発明の詳細な説明】
【技術分野】
【０００１】
本発明は、被包装体を包装する包装容器に関する。
【背景技術】
【０００２】
現在、紙巻たばこ等の被包装体を包装する包装容器として、被包装体を収納する収納体と、この収納体の開口端を覆う蓋体が設けられ、収納体に対して蓋体が回動可能なものが知られている（例えば、特許文献１及び特許文献２参照）。このような包装容器は、蓋体を回動させて収納体の開口端が開放する状態とすることで、収納体内の被包装体を取り出し可能となる。
【先行技術文献】
【特許文献】
【０００３】
【特許文献１】特開２００８−０８７７７５号公報
【特許文献２】特開２００２−９６８２３号公報
【発明の概要】
【発明が解決しようとする課題】
【０００４】
上述した包装容器では、以下の問題があった。即ち、上述した包装容器は、紙材で形成されており、収納体と蓋体との連続部が、蓋体の回動するヒンジ部となる。このヒンジ部は、包装容器を形成する際に紙素材を押圧して形成した圧痕が、包装容器の開封時に折れることで形成された折目である。このため、ヒンジ部を中心に蓋体を回動させた後、蓋体の保持を解除すると、当該ヒンジ部の復元力により、蓋体が閉じる方向に回動する。
【０００５】
収納体内の被包装体を取り出すには、蓋体を回動後保持させておくことが望ましいが、手がふさがっている等の条件下においては、蓋体の保持ができないこともある。このため、蓋体を回動後、保持させることなく、蓋体の回動状態、即ち、収納体の開口が開放した開状態を維持可能な包装容器が求められている。
【０００６】
そこで、本発明は、開状態の維持が容易な包装容器を提供することを目的としている。
【課題を解決するための手段】
【０００７】
前記課題を解決し目的を達成するために、本発明の包装容器は次のように構成されている。
【０００８】
本発明の一態様として、被包装体を収納するとともに、その上部が開口する収納体と、前記収納体の開口を閉塞する蓋体と、前記収納体及び前記蓋体に一体に形成され、前記蓋体を前記収納体に対して回動可能に形成された２つの回転軸を有するヒンジ部と、を備える。
【発明の効果】
【０００９】
本発明によれば、開状態の維持が容易な包装容器を提供することが可能となる。
【図面の簡単な説明】
【００１０】
【図１】本発明の第１の実施形態に係る包装容器の構成を示す斜視図。
【図２】同包装容器の構成を示す斜視図。
【図３】同包装容器のブランクの構成を示す平面図。
【図４】同包装容器のブランクの要部構成を示す平面図。
【図５】同包装容器のブランクの構成を示す平面図。
【図６】本発明の第２の実施形態に係る包装容器のブランクの構成を示す平面図。
【図７】本発明の第３の実施形態に係る包装容器のブランクの構成を示す平面図。
【図８】本発明の第４の実施形態に係る包装容器のブランクの構成を示す平面図。
【図９】本発明の第５の実施形態に係る包装容器のブランクの構成を示す平面図。
【発明を実施するための形態】
【００１１】
以下、本発明の第１の実施の形態に係る包装容器１を、図１乃至図５を用いて説明する。  
図１は本発明の一実施の形態に係る包装容器１の構成を後方から示す斜視図、図２は同包装容器１の構成を前方から示す斜視図、図３は同包装容器１に用いられる第１ブランク３の構成を示す平面図、図４は第１ブランク３の要部構成、具体的には、ヒンジ部７を形成する切断部５４、非連続部５４ａ及び圧痕５５の構成を示す平面図、図５は同包装容器１に用いられる第２ブランク４の構成を示す平面図である。
【００１２】
なお、図１の包装容器１は、収納体５の開口を蓋体６により閉塞する閉状態を、図２の包装容器１は、蓋体６を収納体５から離間させることで収納体５が開口する開状態を、それぞれ示している。
【００１３】
図１及び図２に示すように、包装容器１は、収納体５と、蓋体６と、ヒンジ部７と、を備えている。包装容器１は、これら収納体５、蓋体６及びヒンジ部７が一体に形成される。包装容器１は、被包装体の包装時においては、その外形状が略直方体に形成されている。
【００１４】
また、包装容器１は、包装容器１の外郭を形成する外体９と、外体９の内部に位置し、包装容器１の内部形状の一を形成し、図２に示す包装容器１の開状態において外部に露出する内体１０と、を備えている。
【００１５】
外体９は、収納体５の一部、蓋体６及びヒンジ部７を構成する。内体１０は、収納体５の他部を構成する。内体１０は、その外面が、包装容器１の閉状態において、蓋体６の内面と当接することで、蓋体６の開状態への移動を規制する規制部である。
【００１６】
包装容器１は、図３乃至図５に示すように、紙素材から、打ち抜き加工により形成されたブランク２を組み立てることで形成される。
【００１７】
このような包装容器１は、例えば、被包装体である紙巻たばこＴを包装可能な、所謂たばこ箱であり、収納体５内部に内包体を有している。包装容器１は、外体９及び内体１０の材料として、紙巻たばこＴを包装可能な紙素材が用いられる。
【００１８】
当該紙素材の一例として、例えばミードウエストベーコ社製、ハイイールドプリントコート（登録商標）のグラメジが２２１ｇ／ｍ３の紙素材が用いられる。なお、紙素材は、これに限定されず、適宜使用可能である。
【００１９】
内包体は、例えば、包装容器１の開封まで、紙巻たばこＴの束を直接包装し、紙巻たばこＴの劣化を防止可能に形成されている。内包体は、保湿性及び保香性等を有している。この内包体は、主として、アルミニウムの膜が蒸着又は積層された紙が用いられる。
【００２０】
図１及び図２に示すように、収納体５は、外体９の一部と内体１０とにより構成されている。収納体５は、外体９の一部及び内体１０により、収納体５の内部を開口する開口端を有する方体状に形成されている。
【００２１】
具体的には、収納体５は、外体９によって上端部が後方から前方に向って下方に傾斜して開口するとともに、当該傾斜する開口の内周面に設けられた内体１０によって、当該開口の上端から延設された壁を形成し、略方体状の上部が開口する箱体に形成される。収納体５は、外体９の一部により形成された第１前壁１１、第１後壁１２、一対の第１側壁１３及び底壁と、内体１０と、を備えている。
【００２２】
第１前壁１１は、略矩形状、例えば、平面視で幅方向が高さ方向よりも短い長方形状に形成されている。第１後壁１２は、高さ方向に第１前壁１１よりも高い略長方形状に形成されるとともに、その上端の一部にヒンジ部７が形成され、当該ヒンジ部７を介して蓋体６が一体に形成されている。
【００２３】
第１後壁１２は、その上端縁の両端側が下端縁に沿って一部切欠されるとともに、当該切欠の端部から第１後壁１２の中心側に向かって中途部まで傾斜して切欠される。第１後壁１２は、これら上端縁の両端側の切欠間に形成され、蓋体６と連続するヒンジ部７が一体に形成されている。
【００２４】
第１側壁１３は、第１前壁１１及び第１後壁１２を連結するとともに、その上端が傾斜する台形状に形成されている。底壁は、平面視で長方形状に形成され、第１前壁１１、第１後壁１２及び一対の第１側壁１３をこれら下端側で連結する。
【００２５】
図２に示すように、内体１０は、第１前壁１１、及び、一対の第１側壁１３の内面に沿って設けられている。具体的には、内体１０は、前内壁１５及び一対の側内壁１６を備えている。
【００２６】
前内壁１５は、第１前壁１１の内面に設けられ、第１前壁１１の上端縁から突出する。側内壁１６は、一対の第１側壁１３の内面にそれぞれ設けられ、第１側壁１３の上端縁からそれぞれ突出する。
【００２７】
内体１０は、前内壁１５及び側内壁１６が第１前壁１１及び第１側壁１３の内面に接着剤等により接着されている。内体１０は、外体９の第１前壁１１及び第１側壁１３に沿った壁を形成し、蓋体６の案内及び蓋体６の変形等を防止可能に形成される。
【００２８】
また、内体１０は、前内壁１５及び側内壁１６の稜部に形成され、蓋体６の内面と干渉する突起部１７を備えている。突起部１７は、蓋体６が収納体５の開口端を閉塞時に、蓋体６の内面と干渉することで、蓋体６を収納体５に固定可能に形成されている。
【００２９】
蓋体６は、外体９の他部により構成されている。蓋体６は、第２前壁２１と、第２後壁２２と、一対の第２側壁２３と、上壁２４と、を備えている。蓋体６は、収納体５の上部を覆うことで、収納体５の開口を閉塞可能に形成されている。
【００３０】
第２前壁２１は、平面視で幅方向が高さ方向よりも長く、且つ、その幅が第１前壁１１と略同一寸法の長方形状に形成されている。
【００３１】
第２後壁２２は、高さ方向に第１前壁２１よりも低い略長方形状に形成されている。第２後壁２２は、その下端縁にヒンジ部７を介して収納体５が一体に形成されている。第２後壁２２は、その下端縁の両端側が、第１後壁１２と同様に、中心側に向かって中途部まで切欠されるとともに、当該切欠の端部から第２後壁２２の中心側に向かって中途部まで傾斜して切欠される。第２後壁２２は、これら下端縁の両端側の切欠間に形成された、収納体５と連続するヒンジ部７が一体に形成されている。
【００３２】
即ち、第１後壁１２及び第２後壁２２は、その対向する境界が、それらの両端部から中央に向かって切欠するとともに、当該切欠が中途部から所定の長さの切欠に２方向に分岐して直線状に切欠する切断部５４と、当該切断部５４間に形成されたヒンジ部７と、により一体に形成されている。
【００３３】
第２側壁２３は、第２前壁２１及び第２後壁２２を連結するとともに、その下端が傾斜する台形状に形成されている。なお、第２側壁２３は、その下端の傾斜角度が、第１側壁１３の上端の傾斜角度と略同一の角度に形成されている。上壁２４は、平面視で長方形状に形成され、第２前壁２１、第２後壁２２及び一対の第２側壁２３を上端側で連結する。
【００３４】
ヒンジ部７は、第１後壁１２及び第２後壁２２間に設けられ、第１後壁１２及び第２後壁２２を一体に連結する。ヒンジ部７は、第１後壁１２に対して第２後壁２２を回動可能に形成されている。ヒンジ部７は、複数、本実施の形態においては２つの回転軸を備えている。
【００３５】
具体的には、ヒンジ部７は、その両端部が一対の切断部５４であって、当該切断部５４の２方向に分岐する切欠により形成されるとともに、一対の切断部５４の２方向に分岐された切欠の端部間をそれぞれ連続する２つの曲折部２７により形成される。ヒンジ部７は、包装容器１の幅方向にその長手方向が延設された帯状に形成されている。また、ヒンジ部７は、その内面に意匠又は標章等の情報が表示可能に形成されている。即ち、ヒンジ部７は、その内面に情報を表示する表示部２８を有している。
【００３６】
曲折部２７は、図１中は破線で、図２中は実線で示すように、例えば、紙素材上の第１後壁１２及び第２後壁２２間に押圧によって形成され、折り曲げられることで、ヒンジ部７の回転する回転軸を成す脆弱部である。曲折部２７は、後述する圧痕５５により形成される。表示部２８は、例えば、包装容器１内の表面に、印刷等により情報が設けられる。
【００３７】
次に、このような包装容器１を形成するブランク２、及び、ブランク２による包装容器１の形成方法について図３乃至図５を用いて説明する。なお、図３乃至図５中、鎖線は、ブランク２の折線を示し、実線は切断部をそれぞれ示している。
【００３８】
折線とは、ブランク２の組立時に、ブランク２を折り込む部位であり、たとえば、ブランク２の製造時に、折線を案内する圧痕が形成される。以下、鎖線で示す折線を「圧痕」として説明する。また、切断部とは、所謂切れ刃と呼ばれるブランク２形成時に切断した部位である。
【００３９】
図３乃至図５に示すように、ブランク２は、第１ブランク３及び第２ブランク４を備えている。  
第１ブランク３は、収納体５の一部及び蓋体６からなる外体９を展開した形状に紙素材を打ち抜き加工により切断した素材片である。第１ブランク３は、後面３１と、底面３２と、第１前面３３と、上面３４と、一対の第１側面３５と、第２前面３６と、一対の第２側面３７と、接着面３８と、を備えている。
【００４０】
後面３１は、第１、第２後壁１２、２２、及び、ヒンジ部７を形成する。後面３１は、第１、第２後壁１２、２２及びヒンジ部７を組み合わせた方形状に形成され、圧痕５０，５１，５２，５３を介して底面３２、上面３４、及び、接着面３８と一体に成形されている。
【００４１】
後面３１は、圧痕５２，５３間に設けられた、一対の切断部５４、及び、一対の切断部５４間に設けられ、曲折部２７を形成する２つの圧痕５５を有する。後面３１は、その切断部５４及び圧痕５５により囲まれる領域がヒンジ部７を形成する。また、後面３１は、切断部５４及びヒンジ部７を介して一方（下方）が第１後面４１を、他方（上方）が第２後面４２を形成する。
【００４２】
換言すると、後面３１は、第１後面４１がヒンジ部７をなす下方の圧痕５５を介してヒンジ部７と連続し、第２後面４２がヒンジ部７をなす上方の圧痕５５を介してヒンジ部７と連続して形成される。
【００４３】
後面３１は、圧痕５０，５１，５２，５３が曲折されることで、第１後面４１及び第２後面４２により、底面３２（底壁）及び上面３４（上壁２４）に対して直交する第１後壁１２及び第２後壁２２を構成する。
【００４４】
図４に示すように、切断部５４は、後面３１が圧痕５２，５３から互いに対向する方向に向かって所定の距離だけ直線状に切断されるとともに、当該所定の距離切断された端部から２方向に分岐して所定の距離だけ直線状に切断されることで形成される。また、切断部５４は、当該２方向に分岐した一方、例えば第１後面４１及びヒンジ部７間に位置する一方が、第２後面４２及びヒンジ部７間に位置する他方よりもその長さが長く切欠される。
【００４５】
また、切断部５４は、２方向に分岐した少なくとも一方、例えば第１後面４１及びヒンジ部７間に位置する一方に、切断部５４の一部を非連続にする非連続部５４ａが形成されている。なお、非連続部５４ａは、切断部５４の切断時において、切断部５４の一部に切断を行わない部位（非切断部）を設けることで形成される。
【００４６】
圧痕５５は、一対の切断部５４の、２方向に分岐された端部間を連続してそれぞれ形成される。圧痕５５は、圧痕５０，５１の延設方向、及び、切断部５４の圧痕５２，５３から互いに対向する方向に沿って形成される。
【００４７】
底面３２は、底壁を形成する。底面３２は、方形状に形成され、圧痕５０，５７を介して後面３１及び第１前面３３と一体に成形されている。底面３２は、圧痕５０，５７が曲折されることで、後面３１（第１後壁１２及び第２後壁２２）に対して直交する底壁を構成する。
【００４８】
第１前面３３は、第１前壁１１を形成する。第１前面３３は、方形状に形成され、圧痕５７,５８，５９を介して底面３２及び一対の第１側面３５と一体に成形されている。第１前面３３は、圧痕５７,５８，５９が曲折されることで、底面３２（底壁）に対して直交する第１前壁１１を構成する。
【００４９】
上面３４は、上壁２４を形成する。上面３４は、方形状に形成され、圧痕５１,６０を介して後面３１及び第２前面３６に一体に成形されている。上面３４は、圧痕５１,６０が曲折されることで、後面３１（第１後壁１２及び第２後壁２２）及び第２前面３６（第２前壁２１）に対して直交する上壁２４を構成する。
【００５０】
一対の第１側面３５は、第１側壁１３を形成する。第１側面３５は、一つの辺、図３においては、下方に位置する辺が傾斜する台形状に形成され、圧痕５８，５９を介してそれぞれ第１前面３３と一体に形成されている。第１側面３５は、圧痕５８，５９が曲折されることで、第１前面３３（第１前壁１１）に対して直交する第１側壁１３を構成する。
【００５１】
第２前面３６は、第２前壁２１を形成する。第２前面３６は、方形状に形成され、圧痕６０，６１，６２，６３を介して上面３４、一対の第２側面３７及び接着面３８と一体に成形されている。第２前面３６は、圧痕６０，６１，６２，６３が曲折されることで、上面３４（上壁２４）に対して直交する第２前壁２１を構成する。
【００５２】
一対の第２側面３７は、第２側壁２３を形成する。第２側面３７は、一つの辺、図３においては、上方に位置する辺が、第１側面３５の傾斜する辺と同一の角度で傾斜する台形状に形成され、圧痕６１，６２を介してそれぞれ第２前面３６と一体に成形されている。
【００５３】
第２側面３７は、その傾斜する辺が、第１側面３５の傾斜する辺と互いに係合可能に形成され、当該辺同士が係合することで、第１側面３５及び第２側面３７は、方形状に形成される。第２側面３７は、圧痕６１，６２が曲折されることで、第２前面３６（第２前壁２１）に対して直交する第２側壁２３を構成する。
【００５４】
接着面３８は、一対の側面接着面４４と、一対の底面接着面４５と、一対の上面接着面４６と、前面接着面４７と、を備えている。
【００５５】
一対の側面接着面４４は、第１側面３５と接着する第１側面接着面４８、及び、第２側面３７と接着する第２側面接着面４９を備えている。一対の側面接着面４４は、第１側壁１３及び第２側壁２３の内面を構成する。一対の側面接着面４４は、第１側壁１３及び第２側壁２３を組み合わせた方形状に形成され、圧痕５２，５３、６４，６５，６６，６７を介して後面３１、一対の底面接着面４５及び一対の上面接着面４６と一体に成形されている。
【００５６】
また、一対の側面接着面４４は、後面３１の切断部５４と連続する切断部５６を有し、この切断部５６に対して一方（下方）が第１側面接着面４８を、他方（上方）が第２側面接着面４９を形成する。切断部５６は、第１、第２側面３５，３７の傾斜角度と略同一角度で傾斜する。
【００５７】
一対の側面接着面４４は、圧痕５２，５３が曲折されることで、第１側面接着面４８及び第２側面接着面４９が後面３１（第１後面４１及び第２後面４２）に対して直交し、第１側面３５及び第２側面３７とそれぞれ対向し、接着される。
【００５８】
一対の底面接着面４５は、それぞれ圧痕６４，６５を介して、一対の第１側面接着面４８に一体に形成される。一対の底面接着面４５は、圧痕６４，６５が曲折されることで、側面接着面４４（第１側壁１３及び第２側壁２３）に対して直交し、底面３２（底壁）と対向し、接着される。
【００５９】
一対の上面接着面４６は、それぞれ圧痕６６，６７を介して、一対の側面接着面４４の第２側面接着面４９に一体に成形される。一対の上面接着面４６は、圧痕６６，６７が曲折されることで、側面接着面４４（第１側壁１３及び第２側壁２３）に対して直交し、上面３４（上壁２４）と対向し、接着される。
【００６０】
第２前面接着面４７は、圧痕６３を介して第２前面３６と一体に成形され、圧痕６３を介して曲折されることで、第２前面３６と対向し、接着される。なお、第２前面接着面４７は、第２前壁２１の内面を形成する。
【００６１】
第２ブランク４は、内体１０を展開した形状に紙素材を打ち抜き加工により切断した素材片である。第２ブランク４は、前面部７４と、一対の側面部７５と、を備えている。
【００６２】
前面部７４は、前内壁１５を形成する。前面部７４は、第１前壁１１と略同一幅に形成されるとともに、圧痕７１を介して一対の側面部７５に接続されている。前面部７４は、その側方から圧痕７１上を跨いで側面部７５の一部まで切断されることで設けられ、蓋体６の内面と干渉する突起部１７を構成する切断部７４ａが形成されている。前面部７４は、その上方の一部が切欠されて形成されている。また、前面部７４は、その下方が第１前壁１１の内面に接着される。
【００６３】
側面部７５は、側内壁１６を形成する。側面部７５は、第１側壁１３と略同一幅に形成される。側面部７５は、その下方が第１側壁１３の内面に接着される。
【００６４】
このように構成された第１ブランク３及び第２ブランク４は、各圧痕が同方向に折りこまれるとともに、接着面３８にそれぞれ接着剤が塗布され、対応する面に接着される。これにより、第１ブランク３は収納体５及び蓋体６を有する外体９を形成し、第２ブランク４は内体１０をそれぞれ形成する。次に、内体１０を外体９の対応する位置に接着剤により接着することで、包装容器１が組み立てられる。なお、ここでは、包装容器１の外体９と内体１０との接着についての詳細な説明は省略する。
【００６５】
このように形成された包装容器１は、ブランク２から包装容器１を形成する時に、内包体に包装されたたばこ束がその内部に設けられることで、たばこ束を包装する。たばこ束を包装した包装容器１は、包装容器１の外囲が透明フィルム等の外包フィルムで外包される。これにより、たばこ商品となる。
【００６６】
次に、このように構成された包装容器１の開封、及び、蓋体６の開閉について説明する。先ず、外包フィルムで外包された包装容器１は、外包フィルムを開封して除去する。外装フィルム除去後、蓋体６を収納体５から離間する方向に移動させる。
【００６７】
この蓋体６の移動により、ヒンジ部７は、２つの曲折部２７が折り曲げられるとともに、切断部５４の非連続部５４ａが破断され、切断部５４が連続し、蓋体６がヒンジ部７を中心に回動可能となる。即ち、蓋体６は、収納体５に離間する方向に移動されることで、ヒンジ部７の２つの曲折部２７を回転軸として、収納体５に対して回動する。
【００６８】
具体的には、蓋体６を収納体５から離間する方向に回動させると、蓋体６は、ヒンジ部７の上方の曲折部２７、即ち、蓋体６に隣接する曲折部２７を中心に、ヒンジ部７に対して回動する。また、蓋体６は、ヒンジ部７の下方の曲折部２７、即ち、収納体５に隣接する曲折部２７を中心に、収納体５に対して回動する。
【００６９】
換言すると、蓋体６は、ヒンジ部７に対して回動するとともに、蓋体６の回動に合わせて、ヒンジ部７も、蓋体６とともに下方の曲折部２７を中心に収納体５に対して回動する。これにより、ヒンジ部７は、第１後壁１２に対して傾斜し、表示部２８が収納部５の開口範囲から外部に露出する。このヒンジ部７の傾斜により、ヒンジ部７の内面側に形成された表示部２８は、その情報が収納体５の開口から視認可能となる。
【００７０】
また、ヒンジ部７の２つの曲折部２７がそれぞれ回転軸を成し、蓋体６を収納体５に対して回動させることから、蓋体６は、一つの回転軸により回動する場合よりも、収納体５に対して回動する角度が大きくなる。このため、ヒンジ部７の曲折部２７の復元力による蓋体６の収納体５を閉塞する方向の回動が発生しても、蓋体６が収納体５に近接し、蓋体６が収納体５の開口を覆うことを極力防止できる。
【００７１】
このため、包装容器１は、蓋体６を手で保持することなく、突出部２６及び内体１０により収納体５の開口を解放させた開状態を維持することが可能となり、収納体５に収納された紙巻たばこＴの取り出しが容易となる。
【００７２】
包装容器１は、収納体５の開口が蓋体６により閉塞された閉状態とするために、蓋体６を、ヒンジ部７の２つの曲折部２７を中心に収納体５に近接させる方向に回動させる。この回動により、蓋体６は、その内面に内体１０が当接し、内体１０の突起部１７と干渉することで、蓋体６が収納体５に固定される。これにより、包装容器１は閉状態となる。
【００７３】
このように構成された包装容器１によれば、ヒンジ部７に２つの曲折部２７を設けることで、蓋体の回転軸を複数、本実施形態においては２つとすることが可能となる。これにより、蓋体６を収納体５から離間させるように回動させることで、蓋体６の回転角度は、２つの回転軸における回転角度の和となることから、収納体５に対する蓋体６の開度（回転角度）を大とすることが可能となる。
【００７４】
また、蓋体６の開度が大となることで、曲折部２７の復元力により蓋体６が閉状態となる方向に回動しても、蓋体６は、開状態が維持される。即ち、包装容器１は、蓋体６を開状態としたあと、蓋体６を押えることなく開状態が維持されることから、収納体５から紙巻たばこＴの取り出しが容易となる。
【００７５】
また、蓋体６の回転角度が大となるとともに、ヒンジ部７も曲折部２７を中心に収納体５に対して回転することで、包装容器１の開口する開口領域に対向するようにヒンジ部７が傾斜する。これにより、ヒンジ部７の内面側の表示部２８が使用者に対して対向するように傾斜することから、表示部２８の視認性が高くなる。これにより当該表示部２８に表示された情報の視認性を向上することが可能となる。このように、包装容器１は、その外面だけでなく、内面に設けられた表示部２８を効果的な表示領域とすることで、情報の表示範囲が向上することとなる。
【００７６】
上述したように、本願発明の第１の実施形態に係る包装容器１によれば、ヒンジ部７の２つの曲折部２７により、蓋体６を２つの回転軸により回動させ、且つ、ヒンジ部７の内面に情報の表示部２８を設けることで、開状態の維持が容易、且つ、情報の表示範囲の向上が可能となる。
【００７７】
（第２の実施形態）
次に、本発明の第２の実施形態に係る包装容器１Ａの構成を、図６を用いて説明する。  
図６は本発明の第２の実施形態に係る包装容器１Ａに用いられる第１ブランク３Ａの構成を示す平面図である。なお、図６の包装容器１Ａ中、図１乃至図５にて説明した第１の実施形態に係る包装容器１及び第１ブランク３と同様の構成には同一符号を付し、その詳細な説明は省略する。
【００７８】
包装容器１Ａは、収納部５、蓋体６及びヒンジ部７Ａを備えている。ヒンジ部７Ａは、その両端部が一対の切断部５４Ａの一部により形成されるとともに、切断部５４Ａ間を連続する２つの曲折部２７により構成される。ヒンジ部７Ａは、包装容器１Ａの幅方向にその長手方向が延設された帯状に形成されている。ヒンジ部７Ａは、その内面に表示部２８を有している。
【００７９】
包装容器１Ａは、ブランク２Ａにより構成される。ブランク２Ａは、第１ブランク３Ａ及び第２ブランク４を備えている。第１ブランク３Ａは、収納体５Ａの一部及び蓋体６からなる外体９を展開した形状に紙素材を打ち抜き加工により切断した素材片である。第１ブランク３Ａは、後面３１Ａと、底面３２と、第１前面３３と、上面３４と、一対の第１側面３５と、第２前面３６と、一対の第２側面３７と、接着面３８と、を備えている。
【００８０】
後面３１Ａは、第１、第２後壁１２、２２、及び、ヒンジ部７Ａを形成する。後面３１Ａは、第１、第２後壁１２、２２及びヒンジ部７Ａを組み合わせた方形状に形成され、圧痕５０，５１，５２，５３を介して底面３２、上面３４、及び、接着面３８と一体に成形されている。
【００８１】
後面３１Ａは、一対の切断部５４Ａ及び一対の切断部５４Ａ間に設けられ、曲折部２７を形成する２つの圧痕５５を有する。後面３１Ａは、その切断部５４Ａ及び圧痕５５により囲まれる領域がヒンジ部７Ａを形成する。また、後面３１Ａは、切断部５４Ａ及びヒンジ部７Ａを介して一方（下方）が第１後面４１を、他方（上方）が第２後面４２を形成する。
【００８２】
換言すると、後面３１Ａは、第１後面４１がヒンジ部７Ａをなす下方の圧痕５５を介してヒンジ部７Ａと連続し、第２後面４２がヒンジ部７Ａをなす上方の圧痕５５を介してヒンジ部７Ａと連続して形成される。
【００８３】
後面３１Ａは、圧痕５０，５１，５２，５３が曲折されることで、第１後面４１及び第２後面４２により、底面３２（底壁）及び上面３４（上壁２４）に対して直交する第１後壁１２及び第２後壁２２を構成する。
【００８４】
図６に示すように、切断部５４Ａは、後面３１Ａが圧痕５２，５３から互いに対向する方向に向かって所定の距離だけ直線状に切断されるとともに、当該所定の距離切断された端部から２方向に分岐して所定の距離だけ円弧状に切断されることで形成される。また、切断部５４Ａは、当該２方向に分岐した一方、例えば第１後面４１及びヒンジ部７Ａ間に位置する一方が、第２後面４２及びヒンジ部７間に位置する他方よりもその長さが長く切欠される。
【００８５】
また、切断部５４Ａは、２方向に分岐した少なくとも一方、例えば第１後面４１及びヒンジ部７間に位置する一方に、切断部５４Ａの一部を非連続にする非連続部５４ａが形成されている。
【００８６】
このように構成された包装容器１Ａによれば、上述した包装容器１と同様の効果を奏することが可能となる。即ち、包装容器１Ａは、ヒンジ部７Ａに２つの曲折部２７を設けることで、蓋体６の回転軸を複数（２つ）とすることが可能となる。また、包装容器１Ａは、ヒンジ部７Ａに表示部２８を設けることが可能となる。これにより、包装容器１Ａは、２つの曲折部２７により開状態の維持が容易、且つ、表示部２８により情報の表示範囲の向上が可能となる。
【００８７】
（第３の実施形態）
次に、本発明の第３の実施形態に係る包装容器１Ｂの構成を、図７を用いて説明する。  
図７は本発明の第３の実施形態に係る包装容器１Ｂに用いられる第１ブランク３Ｂの構成を示す平面図である。なお、図７の包装容器１Ｂ中、図１乃至図５にて説明した第１の実施形態に係る包装容器１及び第１ブランク３、並びに、図６にて説明した第２の実施形態に係る包装容器１Ａ及び第１ブランク３Ａと同様の構成には同一符号を付し、その詳細な説明は省略する。
【００８８】
包装容器１Ｂは、収納部５、蓋体６及びヒンジ部７Ｂを備えている。ヒンジ部７Ｂは、その両端部が一対の切断部５４Ｂの一部により形成されるとともに、切断部５４Ｂ間を連続する２つの曲折部２７により構成される。ヒンジ部７Ｂは、包装容器１Ｂの幅方向にその長手方向が延設された帯状に形成されている。ヒンジ部７Ｂは、その内面に表示部２８を有している。
【００８９】
包装容器１Ｂは、ブランク２Ｂにより構成される。ブランク２Ｂは、第１ブランク３Ｂ及び第２ブランク４を備えている。第１ブランク３Ｂは、収納体５Ｂの一部及び蓋体６からなる外体９を展開した形状に紙素材を打ち抜き加工により切断した素材片である。第１ブランク３Ｂは、後面３１Ｂと、底面３２と、第１前面３３と、上面３４と、一対の第１側面３５と、第２前面３６と、一対の第２側面３７と、接着面３８と、を備えている。
【００９０】
後面３１Ｂは、第１、第２後壁１２、２２、及び、ヒンジ部７Ｂを形成する。後面３１Ｂは、第１、第２後壁１２、２２及びヒンジ部７Ｂを組み合わせた方形状に形成され、圧痕５０，５１，５２，５３を介して底面３２、上面３４、及び、接着面３８と一体に成形されている。
【００９１】
後面３１Ｂは、一対の切断部５４Ｂ及び一対の切断部５４Ｂ間に設けられ、曲折部２７を形成する２つの圧痕５５を有する。後面３１Ｂは、その切断部５４Ｂ及び圧痕５５により囲まれる領域がヒンジ部７Ｂを形成する。また、後面３１Ｂは、切断部５４Ｂ及びヒンジ部７Ｂを介して一方（下方）が第１後面４１を、他方（上方）が第２後面４２を形成する。
【００９２】
換言すると、後面３１Ｂは、第１後面４１がヒンジ部７Ｂをなす下方の圧痕５５を介してヒンジ部７Ｂと連続し、第２後面４２がヒンジ部７Ｂをなす上方の圧痕５５を介してヒンジ部７Ｂと連続して形成される。
【００９３】
後面３１Ｂは、圧痕５０，５１，５２，５３が曲折されることで、第１後面４１及び第２後面４２により、底面３２（底壁）及び上面３４（上壁２４）に対して直交する第１後壁１２及び第２後壁２２を構成する。
【００９４】
図７に示すように、切断部５４Ｂは、後面３１Ｂが圧痕５２，５３から、切断部５６と連続して切断部５６と同一の傾斜角度で所定の距離だけ直線状に切断されるとともに、当該所定の距離切断された端部から後面３１Ｂの中心側に向かって所定の角度及び所定の距離だけ直線状に切断されることで形成される。
【００９５】
即ち、切断部５４Ｂは、後面３１Ｂが切断部５６と連続して圧痕５１に向かって所定の距離だけ切断されるとともに、後面３１Ｂの中心側に向かって曲折して所定の角度及び所定の距離だけ切断されることで形成される。また、切断部５４Ｂは、曲折して後面３１Ｂの中心側に向かって切断された部位の一部に、非連続部５４ａが形成されている。
【００９６】
圧痕５５（曲折部２７）は、一対の切断部５４Ｂの曲折する頂部間、及び、中心側に向かって切断された端部間を連続してそれぞれ形成される。圧痕５５は、圧痕５０，５１の延設方向、及び、切断部５４の圧痕５２，５３から互いに対向する方向に沿って形成される。
【００９７】
このように構成された包装容器１Ｂによれば、上述した包装容器１，１Ａと同様の効果を奏することが可能となる。即ち、包装容器１Ｂは、ヒンジ部７Ｂに２つの曲折部２７を設けることで、蓋体６の回転軸を複数（２つ）とすることが可能となる。また、包装容器１Ｂは、ヒンジ部７Ｂに表示部２８を設けることが可能となる。これにより、包装容器１Ｂは、２つの曲折部２７により開状態の維持が容易、且つ、表示部２８により情報の表示範囲の向上が可能となる。
【００９８】
（第４の実施形態）
次に、本発明の第４の実施形態に係る包装容器１Ｃの構成を、図８を用いて説明する。  
図８は本発明の第４の実施形態に係る包装容器１Ｃに用いられる第１ブランク３Ｃの構成を示す平面図である。なお、図８の包装容器１Ｃ中、図１乃至図５にて説明した第１の実施形態に係る包装容器１及び第１ブランク３、図７にて説明した第２の実施形態に係る包装容器１Ａ及び第１ブランク３Ａ、並びに、図７にて説明した第３の実施形態に係る包装容器１Ｂ及び第１ブランク３Ｂと同様の構成には同一符号を付し、その詳細な説明は省略する。
【００９９】
包装容器１Ｃは、収納部５、蓋体６及びヒンジ部７Ｃを備えている。ヒンジ部７Ｃは、その両端部が一対の切断部５４Ｃの一部により形成されるとともに、切断部５４Ｃ間を連続する２つの曲折部２７により構成される。ヒンジ部７Ｃは、包装容器１Ｃの幅方向にその長手方向が延設された帯状に形成されている。ヒンジ部７Ｃは、その内面に表示部２８を有している。
【０１００】
包装容器１Ｃは、ブランク２Ｃにより構成される。ブランク２Ｃは、第１ブランク３Ｃ及び第２ブランク４を備えている。第１ブランク３Ｃは、収納体５Ｃの一部及び蓋体６からなる外体９を展開した形状に紙素材を打ち抜き加工により切断した素材片である。第１ブランク３Ｃは、後面３１Ｃと、底面３２と、第１前面３３と、上面３４と、一対の第１側面３５と、第２前面３６と、一対の第２側面３７と、接着面３８と、を備えている。
【０１０１】
後面３１Ｃは、第１、第２後壁１２、２２、及び、ヒンジ部７Ｃを形成する。後面３１Ｃは、第１、第２後壁１２、２２及びヒンジ部７Ｃを組み合わせた方形状に形成され、圧痕５０，５１，５２，５３を介して底面３２、上面３４、及び、接着面３８と一体に成形されている。
【０１０２】
後面３１Ｃは、一対の切断部５４Ｃ及び一対の切断部５４Ｃ間に設けられ、曲折部２７を形成する２つの圧痕５５を有する。後面３１Ｃは、その切断部５４Ｃ及び圧痕５５により囲まれる領域がヒンジ部７Ｃを形成する。また、後面３１Ｃは、切断部５４Ｃ及びヒンジ部７Ｃを介して一方（下方）が第１後面４１を、他方（上方）が第２後面４２を形成する。
【０１０３】
換言すると、後面３１Ｃは、第１後面４１がヒンジ部７Ｃをなす下方の圧痕５５を介してヒンジ部７Ｃと連続し、第２後面４２がヒンジ部７Ｃをなす上方の圧痕５５を介してヒンジ部７Ｃと連続して形成される。
【０１０４】
後面３１Ｃは、圧痕５０，５１，５２，５３が曲折されることで、第１後面４１及び第２後面４２により、底面３２（底壁）及び上面３４（上壁２４）に対して直交する第１後壁１２及び第２後壁２２を構成する。
【０１０５】
図８に示すように、切断部５４Ｃは、後面３１Ｃが圧痕５２，５３から、切断部５６と連続して切断部５６と同一の傾斜角度で所定の距離だけ直線状に切断され、その直線状に切断された端部から円弧状に曲折して切断されるとともに、当該円弧状の切断された端部から圧痕５０に向かって直線状に切断されることで形成される。
【０１０６】
即ち、切断部５４Ｃは、後面３１Ｃが、切断部５６と連続する直線状に切断されるとともに、圧痕５２，５３に略平行に圧痕５０に向かって切断され、これらが円弧状に切断された部位により連続する。また、切断部５４Ｃは、圧痕５０に向かって切断された部位の一部に、非連続部５４ａが形成されている。
【０１０７】
圧痕５５（曲折部２７）は、一対の切断部５４Ｂの円弧状に曲折して切断された頂部間、及び、圧痕５０に向かって切断された端部間を連続してそれぞれ形成される。圧痕５５は、圧痕５０，５１の延設方向、及び、切断部５４の圧痕５２，５３から互いに対向する方向に沿って形成される。
【０１０８】
このように構成された包装容器１Ｃによれば、上述した包装容器１，１Ａ，１Ｂと同様の効果を奏することが可能となる。即ち、包装容器１Ｃは、ヒンジ部７Ｃに２つの曲折部２７を設けることで、蓋体６の回転軸を複数（２つ）とすることが可能となる。また、包装容器１Ｃは、ヒンジ部７Ｃに表示部２８を設けることが可能となる。これにより、包装容器１Ｃは、２つの曲折部２７により開状態の維持が容易、且つ、表示部２８により情報の表示範囲の向上が可能となる。
【０１０９】
（第５の実施形態）
次に、本発明の第５の実施形態に係る包装容器１Ｄの構成を、図９を用いて説明する。  
図９は本発明の第５の実施形態に係る包装容器１Ｄに用いられる第１ブランク３Ｄの構成を示す平面図である。なお、図９の包装容器１Ｄ中、図１乃至図５にて説明した第１の実施形態に係る包装容器１及び第１ブランク３、図６にて説明した第２の実施形態に係る包装容器１Ａ及び第１ブランク３Ａ、図７にて説明した第３の実施形態に係る包装容器１Ｂ及び第１ブランク３Ｂ、並びに、図８にて説明した第３の実施形態に係る包装容器１Ｂ及び第１ブランク３Ｂと同様の構成には同一符号を付し、その詳細な説明は省略する。
【０１１０】
包装容器１Ｄは、収納部５、蓋体６及びヒンジ部７Ｄを備えている。ヒンジ部７Ｄは、その両端部が一対の切断部５４Ｄの一部により形成されるとともに、切断部５４Ｄ間を連続する２つの曲折部２７により構成される。ヒンジ部７Ｄは、包装容器１Ｄの幅方向にその長手方向が延設された帯状に形成されている。ヒンジ部７Ｄは、その内面に表示部２８を有している。
【０１１１】
包装容器１Ｄは、ブランク２Ｄにより構成される。ブランク２Ｄは、第１ブランク３Ｄ及び第２ブランク４を備えている。第１ブランク３Ｄは、収納体５Ｄの一部及び蓋体６からなる外体９を展開した形状に紙素材を打ち抜き加工により切断した素材片である。第１ブランク３Ｄは、後面３１Ｄと、底面３２と、第１前面３３と、上面３４と、一対の第１側面３５と、第２前面３６と、一対の第２側面３７と、接着面３８と、を備えている。
【０１１２】
後面３１Ｄは、第１、第２後壁１２、２２、及び、ヒンジ部７Ｄを形成する。後面３１Ｄは、第１、第２後壁１２、２２及びヒンジ部７Ｄを組み合わせた方形状に形成され、圧痕５０，５１，５２，５３を介して底面３２、上面３４、及び、接着面３８と一体に成形されている。
【０１１３】
後面３１Ｄは、一対の切断部５４Ｄ及び一対の切断部５４Ｄ間に設けられ、曲折部２７を形成する２つの圧痕５５を有する。後面３１Ｄは、その切断部５４Ｄ及び圧痕５５により囲まれる領域がヒンジ部７Ｄを形成する。また、後面３１Ｄは、切断部５４Ｄ及びヒンジ部７Ｄを介して一方（下方）が第１後面４１を、他方（上方）が第２後面４２を形成する。
【０１１４】
換言すると、後面３１Ｄは、第１後面４１がヒンジ部７Ｄをなす下方の圧痕５５を介してヒンジ部７Ｄと連続し、第２後面４２がヒンジ部７Ｄをなす上方の圧痕５５を介してヒンジ部７Ｄと連続して形成される。
【０１１５】
後面３１Ｄは、圧痕５０，５１，５２，５３が曲折されることで、第１後面４１及び第２後面４２により、底面３２（底壁）及び上面３４（上壁２４）に対して直交する第１後壁１２及び第２後壁２２を構成する。
【０１１６】
図９に示すように、切断部５４Ｄは、後面３１Ｄが圧痕５２，５３から、切断部５６と連続して切断部５６の傾斜角度にその接線が近似する円弧状に所定の距離だけ切断されるとともに、その端部から後面３１Ｄの中心側に向かって円弧状に曲折して切断されることで形成される。
【０１１７】
圧痕５５（曲折部２７）は、一対の切断部５４Ｂの切断部５６と連続して切断された円弧状の頂部間、及び、後面３１Ｄの中心に向かって円弧状に切断された端部間を連続してそれぞれ形成される。圧痕５５は、圧痕５０，５１の延設方向、及び、切断部５４の圧痕５２，５３から互いに対向する方向に沿って形成される。
【０１１８】
このように構成された包装容器１Ｄによれば、上述した包装容器１，１Ａ，１Ｂ，１Ｃと同様の効果を奏することが可能となる。即ち、包装容器１Ｄは、ヒンジ部７Ｄに２つの曲折部２７を設けることで、蓋体６の回転軸を複数（２つ）とすることが可能となる。また、包装容器１Ｄは、ヒンジ部７Ｄに表示部２８を設けることが可能となる。これにより、包装容器１Ｄは、２つの曲折部２７により開状態の維持が容易、且つ、表示部２８により情報の表示範囲の向上が可能となる。
【０１１９】
なお、本発明は前記実施の形態に限定されるものではない。例えば、上述した例では、包装容器１，１Ａ，１Ｂ，１Ｃは、曲折部２７は圧痕５５により形成される構成を説明したが、これに限定されない。例えば、曲折部２７は、間欠的に切断されて形成される、換言すると、切断部と被切断部とが交互に形成されることで構成されていてもよい。
【０１２０】
また、上述した例では、包装容器１，１Ａ，１Ｂ，１Ｃは、ヒンジ部７，７Ａ，７Ｂ，７Ｃ，７Ｄの両端部を形成する切断部５４，５４Ａ，５４Ｂ，５４Ｃ，５４Ｄの構成をそれぞれ説明したがこれらに限定されない。即ち、ヒンジ部として、２つの回転軸（曲折部２７）を形成可能であれば、切断部の構成は適宜設定可能である。例えば、上述した例では、ヒンジ部７の２つの曲折部２７の端部が、後面３１の圧痕５２，５３間が切断された切断部５４により構成される構成を説明したが、切断部（５４）は、圧痕５２，５３上にそれぞれ設けられ、それら両端部間を２つの曲折部２７が連続する構成であってもよい。
【０１２１】
また、上述した例では、包装容器１は、切断部５４が、後面３１が圧痕５２，５３から互いに対向する方向に向かって所定の距離だけ直線状に切断されるとともに、当該所定の距離切断された端部から２方向に分岐して所定の距離だけ直線状に切断される構成を説明したがこれに限定されない。即ち、切断部５４は、ヒンジ部７の両端部を形成可能な形状であれば、互いに対向する方向に向かって切断されることなく、圧痕５２，５３から２方向に分岐して所定の距離だけ切断される構成であってもよい。
【０１２２】
また、上述した例では、包装容器１，１Ａ，１Ｂ，１Ｃは、回転軸（曲折部２７）を２つ備える構成を説明したがこれに限定されず、３つ以上であってもよいが、表示部２８の視認性の低下を防止可能な数が好ましい。
【０１２３】
また、上述した例では、包装容器１，１Ａ，１Ｂ，１Ｃ，１Ｄは、被包装体として紙巻たばこＴを包装する構成を説明したがこれに限定されず、他の被包装体であってもよい。この他、本発明の要旨を逸脱しない範囲で種々変形実施可能である。
【符号の説明】
【０１２４】
１…包装容器、３…第１ブランク、４…第２ブランク、５…収納体、６…蓋体、７…ヒンジ部、９…外体、１０…内体、１１…第１前壁、１２…第１後壁、１３…第１側壁、１５…前内壁、１６…側内壁、２１…第２前壁、２２…第２後壁、２３…第２側壁、２４…上壁、２７…曲折部（回転軸）、５４…切断部、５４ａ…非連続部。
【図１】
2014005027.tif 000003
【図２】
2014005027.tif 000004
【図３】
2014005027.tif 000005
【図４】
2014005027.tif 000006
【図５】
2014005027.tif 000007
【図６】
2014005027.tif 000008
【図７】
2014005027.tif 000009
【図８】
2014005027.tif 000010
【図９】
2014005027.tif 000011